(57)【要約】【課題】尾骨部分に対する吸収体のフィット性を改善する。【解決手段】少なくとも股間部から尾骨部を越えて腰部まで延在する吸収体１３を備えた吸収性物品１において、吸収体１３における、尾骨部の腰部側の部位から尾骨部の幅方向両側に向かう方向と、尾骨部の股間部側の部位から股間部側に近づきつつ幅方向両側に向かう方向とによって囲まれる四辺形部分１３Ｔを、切欠部として形成する。【選択図】図１
2006271898.tif 000002
【特許請求の範囲】
【請求項１】
少なくとも股間部から尾骨部を越えて腰部まで延在する吸収体を備えた吸収性物品において、
前記吸収体における、尾骨部の腰部側の部位から尾骨部の幅方向両側に向かう方向と、尾骨部の股間部側の部位から股間部側に近づきつつ幅方向両側に向かう方向とによって囲まれる四辺形部分が、圧搾凹部または切欠部として形成されていることを特徴とする吸収性物品。
【請求項２】
前記吸収体に、前記腰部の縁から前記四辺形部分の近傍まで幅方向中央を通り連続するスリット状切欠部または圧搾凹部が形成されている、請求項１記載の吸収性物品。
【請求項３】
前記吸収体における腰部の縁は、幅方向中央を境にしてその両側に、股間部側から遠ざかる方向に膨らむ弧状部分をそれぞれ有している、請求項１または２記載の吸収性物品。
【請求項４】
前記吸収体に、各臀部の頂部から腰部側に近づきつつ幅方向中央から遠ざかる方向に沿って周縁まで連続するスリット状切欠部または圧搾凹部がそれぞれ形成されている、請求項１〜３のいずれか１項に記載の吸収性物品。
【請求項５】
前記吸収体における腰部の縁は、身体に対する装着状態で実質的に連続する弧状をなすように形成されている、請求項１〜４のいずれか１項に記載の吸収性物品。
【請求項６】
前記四辺形部分に幅方向の収縮力が作用するように弾性部材が配置されている、請求項１〜５のいずれか１項に記載の吸収性物品。
【発明の詳細な説明】
【技術分野】
【０００１】
本発明は、紙おむつや生理用ナプキン等のように、股間から臀部を覆う吸収性物品に関するものである。
【背景技術】
【０００２】
従来から、紙おむつや生理用ナプキン等の吸収性物品においては、装着感の向上とともに漏れ防止を図るために、身体に対するフィット性が重要視されている。フィット性を高める手段は種々提案されているが、現在の主流は、平面的な素材を糸ゴム等の弾性部材によって部分的に撓ませたり、収縮させたりすることによって、装着部の身体表面形状に沿う立体形状に近付けるものである。
【０００３】
しかし、平面的な素材を、複雑な凹凸や曲面のある立体的な身体表面形状に沿うように、強制的に変形させたとしても、身体表面形状に沿えない部分に皺等による空隙を生じ、当該部分が身体の動きに追随できずにズレを生じたり、着用者に違和感を覚えさせたりすることがあった。
【０００４】
そして、特に吸収体は砂時計形状や矩形形状をなす連続平面状部材であり、他の部材と比べて剛性が高いため、変形し難く、特に尾骨部分において身体との間に隙間や違和感を生じ易いという問題点があった。
【０００５】
この問題点に関して、特許文献１には、吸収体の背側端部に前後方向に沿うスリット状切欠部を入れる技術が提案されており、臀裂の腰部側部分におけるフィット性は改善されるが、その他の部位については依然として改善の余地がある。
【特許文献１】特開２００４−１０５７２３号公報
【発明の開示】
【発明が解決しようとする課題】
【０００６】
そこで、本発明の主たる課題は、尾骨部分に対する吸収体のフィット性を改善することにある。
【課題を解決するための手段】
【０００７】
上記課題を解決した本発明は次記のとおりである。
＜請求項１記載の発明＞
少なくとも股間部から尾骨部を越えて腰部まで延在する吸収体を備えた吸収性物品において、
前記吸収体における、尾骨部の腰部側の部位から尾骨部の幅方向両側に向かう方向と、尾骨部の股間部側の部位から股間部側に近づきつつ幅方向両側に向かう方向とによって囲まれる四辺形部分が、圧搾凹部または切欠部として形成されていることを特徴とする吸収性物品。
【０００８】
（作用効果）
本発明では、吸収体における、尾骨部の腰部側の部位から尾骨部の幅方向両側に向かう方向と、尾骨部の股間部側の部位から股間部側に近づきつつ幅方向両側に向かう方向とによって囲まれる四辺形部分が、圧搾凹部または切欠部として形成されていることを基本とする。このような四辺形部分は、共通の底辺を有し且つ高さが異なる２つの三角形における底辺を除いた二辺からなる形状を有する。このような部分が圧搾凹部または切欠部として形成されていると、低い方の三角形における頂角の二等分線に沿う部分が内面側から見て隆起し、かつ高い方の三角形における頂点から腰側の部分が内面側から見て隆起するとともに、高さが低い方の三角形の二辺をなす端部が、高さが高い方向の三角形の二辺をなす端部にそれぞれ近づいて四辺形が閉じる方向に変形する。
【０００９】
そしてその結果、臀裂の略全体にわたり、すなわち股間部から尾骨部を越えて腰部側までの範囲にわたり隆起部分が形成されるとともに、尾骨部分の突出に沿って隆起が屈曲するようになる。したがって、本発明によれば、尾骨部分における吸収体のフィット性が顕著に向上し、もって装着感ならびに漏れ防止性能の向上がもたらされる。
【００１０】
＜請求項２記載の発明＞
前記吸収体に、前記腰部の縁から前記四辺形部分の近傍まで幅方向中央を通り連続するスリット状切欠部または圧搾凹部が形成されている、請求項１記載の吸収性物品。
【００１１】
（作用効果）
吸収体にこのようなスリット状切欠部または圧搾凹部を有することにより、腰部から尾骨部にわたる幅方向中央部分によりはっきりとした隆起が形成されるようになり、臀裂の腰側部分におけるフィット性を更に向上させることができる。
【００１２】
＜請求項３記載の発明＞
前記吸収体における腰部の縁は、幅方向中央を境にしてその両側に、股間部側から遠ざかる方向に膨らむ弧状部分をそれぞれ有している、請求項１または２記載の吸収性物品。
【００１３】
（作用効果）
このような弧状部分を有することにより、腰部の縁が身体の曲線に沿い易くなり、縁部と身体との間に隙間が生じ難くなる。
【００１４】
＜請求項４記載の発明＞
前記吸収体に、各臀部の頂部から腰部側に近づきつつ幅方向中央から遠ざかる方向に沿って周縁まで連続するスリット状切欠部または圧搾凹部がそれぞれ形成されている、請求項１〜３のいずれか１項に記載の吸収性物品。
【００１５】
（作用効果）
吸収体にこのようなスリット状切欠部または圧搾凹部が形成されていると、スリット状切欠部または圧搾凹部の両の縁部相互が近接するように変形し、臀部を包むように膨らみが形成されるようになる。その結果、臀部に対するフィット性が顕著に向上する。
【００１６】
＜請求項５記載の発明＞
前記吸収体における腰部の縁は、身体に対する装着状態で実質的に連続する弧状をなすように形成されている、請求項１〜４のいずれか１項に記載の吸収性物品。
【００１７】
（作用効果）
スリット状切欠部等による変形がある場合等においては、腰部の縁が不連続な屈曲形状を呈することになり易く、このような形状は装着者に違和感をもたらす。このため、本項記載のように予め吸収性を形成することによって、違和感の発生を防止する。
【００１８】
＜請求項６記載の発明＞
前記四辺形部分に幅方向の収縮力が作用するように弾性部材が配置されている、請求項１〜５のいずれか１項に記載の吸収性物品。
【００１９】
（作用効果）
このように弾性部材による収縮力が作用することによって、前述の本発明の変形が促され、より顕著なフィット性の向上が図られる。
【発明の効果】
【００２０】
以上のとおり、本発明によれば、臀部に対する吸収体のフィット性が顕著に向上し、もって装着感ならびに漏れ防止性能の向上がもたらされる。
【発明を実施するための最良の形態】
【００２１】
以下、本発明の一実施形態について、パンツ型使い捨て紙おむつにおける適用例に基づき詳説するが、両側部のテープにより止着するテープ式使い捨て紙おむつや、各種生理用ナプキン等、他の種類の吸収性物品にも適用できることはいうまでもない。
【００２２】
図１は実施形態のパンツ型使い捨て紙おむつ１の製品状態外観図であり、図２は展開状態での組み立て図である。このパンツ型使い捨て紙おむつ１（以下、単に紙おむつともいう。）は、不織布などからなる透液性表面シート１１と、ポリエチレン等からなる防漏シート１２との間に、綿状パルプなどの吸収体１３を介在させた吸収性本体１０と、この吸収性本体１０の外面側に一体的に設けられた外装シート２０とからなるものである。製造に際しては、外装シート２０の上面側に吸収性本体１０がホットメルト等の接着剤によって接着され一体化された後に、吸収性本体１０および外装シート２０が前後方向に折り重ねられ、その両側部が相互に熱溶着またはホットメルト接着剤などによって接合されることによって、ウエスト開口部及び左右一対のレッグ開口部が形成されたパンツ型紙おむつとなる。
【００２３】
以下、吸収性本体１０、外装シート２０の順に説明する。
（吸収性本体の構造）
吸収性本体１０は、図５及び図６に示すように、不織布などからなる透液性表面シート１１と、ポリエチレン等からなる防漏シート１２との間に、綿状パルプなどの吸収体１３を介在させた構造とされ、体液を吸収保持するものである。
【００２４】
吸収体１３の表面側（肌当接面側）を覆う透液性表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。透液性表面シート１１に多数の透孔を形成した場合には、尿などが速やかに吸収されるようになり、ドライタッチ性に優れたものとなる。透液性表面シート１１は、吸収体１３の側縁部を巻き込んで吸収体１３の裏面側まで延在している。
【００２５】
吸収体１３の裏面側（非肌当接面側）を覆う防漏シート１２は、ポリエチレンまたはポリプロピレンなどの不透液性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。
【００２６】
吸収体１３は、フラッフ状パルプと吸水ポリマーとを成形してなるものが好適に用いられる。吸水性ポリマーは吸収体を構成するパルプ中に例えば粒状粉として混入することができる。パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用できる。もちろんこれ以外の公知の吸収体も採用することができる。また、吸収体１３は、形状保持と透液性表面シート１１を透過した体液の拡散性向上のため等、必要に応じてクレープ紙等の透液性シート１４によって包むことができる。吸収体１３の形状は、図示形態のように背側及び腹側に対して股間部の幅が狭い形状としたり、矩形形状としたりすることができる。
【００２７】
一方、吸収性本体１０の両側部には脚周りにフィットする立体ギャザーＢＳが形成されているのが好ましい。この立体ギャザーＢＳはギャザー不織布１５により形成される、ギャザー不織布としては、図６に示されるように、折返しによって二重シートとした不織布が好適に用いられ、透液性表面シート１１によって巻き込まれた吸収体１３の側縁部をさらにその上側から巻き込んで吸収体１３の裏面側まで延在して接着されている。より具体的には、ギャザー不織布１５は、紙おむつの長手方向中間部では、立体ギャザーＢＳ形成部分を残し、幅方向中間部から吸収体１３の裏面側に亘る範囲がホットメルト接着剤等によって接着され、また長手方向前後端部では、幅方向中間部から一方側端縁までの区間が吸収体１３の裏面側に亘る範囲で接着されるとともに、立体ギャザーＢＳを形成する部分を吸収体１３の上面部にて折り畳むようにしながらホットメルト接着剤等により接着している。
【００２８】
二重シート不織布によって形成されたギャザー不織布１５の内部には、起立先端側部分に複数本の糸状弾性伸縮部材１６、１６…が配設されている。糸状弾性伸縮部材１６、１６…は、製品状態において図６（Ｂ）に示されるように、弾性伸縮力により吸収体側縁部より突出する不織布部分を起立させて立体ギャザーＢＳを形成するためのものである。
【００２９】
防漏シート１２は、二重シート状のギャザー不織布１５の内部まで進入し、図６に示されるように、立体ギャザーＢＳの下端側において防漏壁を構成するようになっている。かかる防漏シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００３０】
糸状弾性伸縮部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５ｄｔｅｘ以下、テンションは１５０〜３５０％、間隔は７．０ｍｍ以下として配設するのがよい。なお、糸状弾性伸縮部材に代えて、ある程度の幅を有するテープ状弾性伸縮部材を用いるようにしてもよい。
【００３１】
前述のギャザー不織布１５を構成する素材繊維も透液性表面シート１１と同様に、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらにギャザー不織布１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００３２】
（外装シート２０の構造）
外装シート２０は、図２及び図３に示されるように、上層不織布２０Ａ及び下層不織布２０Ｂからなる２層構造の不織布シートとされ、上層不織布２０Ａと下層不織布２０Ｂとの間に各種弾性部材が配設され、伸縮性が付与されている。平面形状は、中間両側部に夫々脚部開口を形成するために形成された凹状の脚回りカットライン２９により、全体として擬似砂時計形状をなしている。
【００３３】
特に、図示形態の外装シート２０においては、弾性部材として、図３に示される展開形状において、ウエスト開口部回り２３に配置されたウエスト部弾性部材２４，２４…と、前身頃Ｆ及び後身頃Ｂに、上下方向に間隔をおいて水平方向に沿って配置された複数の腰回り弾性部材群２５，２５…とを有するとともに、前身頃Ｆ及び後身頃Ｂのそれぞれにおいて、腰回り弾性部材群２５，２５…とは別に、前身頃Ｆと後身頃Ｂとを接合する一方側接合縁から股下側に延び、股下側を迂回して前身頃と後身頃との他方側接合縁に到達するとともに、互いに交差することなく間隔をおいて配置された複数本の湾曲弾性部材群２６…、２８…を備えている。なお、本外装シート２０では、脚回りカットライン２９に沿って実質的に連続する、所謂脚回り弾性部材は設けられていない。
【００３４】
以下、各種弾性部材毎に詳述する。
ウエスト部弾性部材２４，２４…は、前身頃Ｆと後身頃Ｂとが接合された脇部接合縁２１、２２の範囲の内、ウエスト開口縁近傍に上下方向に間隔をおいて配設された複数条の糸ゴム状弾性部材であり、身体のウエスト部回りを締め付けるように伸縮力を与えることにより紙おむつを身体に装着するためのものである。このウエスト部弾性部材２４は、図示例では糸ゴムを用いたが、例えばテープ状の伸縮部材を用いてもよい。
【００３５】
腰回り弾性部材群２５，２５…は、脇部接合縁２１、２２の内、概ね上部から下部までの範囲に亘り、上下方向に間隔をおいて水平方向に沿って配設された糸ゴム状の弾性部材であり、前身頃Ｆ及び後身頃Ｂの腰回り部分に夫々水平方向の伸縮力を与え、紙おむつを身体に密着させるためのものである。なお、ウエスト部弾性部材２４、２４…と腰回り弾性部材群２５、２５…との境界は必ずしも明確でなくてよい。例えば、前身頃Ｆ及び後身頃Ｂに上下方向に間隔をおいて水平方向に配置された弾性部材の内、数は特定できなくても、上部側の何本かがウエスト部弾性部材として機能し、残りの弾性部材が腰回り弾性部材として機能していればよい。
【００３６】
後身頃Ｂにおいて、腰回り弾性部材群２５，２５…とは別に配設された背側湾曲弾性部材群２６、２６…は、一方側の脇部接合縁２２からほぼ脚回りカットライン２９に沿うように股下部に延び、股下部を迂回して反対側の脚回りカットライン２９にほぼ沿いながら他方側の脇部接合縁２２に到達するように配置された複数本、図示例では９本の糸ゴム状弾性部材であり、これら背側湾曲弾性部材群２６、２６…は互いに交差することなく、間隔をおいて配置されている。この背側湾曲弾性部材群２６、２６…は、従来の脚回り弾性部材とは配置態様が異なるものである。すなわち、２，３本程度の弾性伸縮部材を間隔を密にして実質的に一束として配置されるのではなく、所定の伸縮ゾーンを形成するように所定の間隔を空けて、５本以上、好ましくは７本以上配置される。
【００３７】
背側湾曲弾性部材群２６，２６…の始終端は、前身頃Ｆと後身頃Ｂとの接合縁のほぼ上部から下部の範囲に亘り所定の間隔で接続され、吸収性本体１０の側縁との交差部において、背側湾曲弾性部材群２６，２６…と吸収性本体１０側縁との鋭角側交差角αは３５°以上、好ましくは４０°以上、より好ましくは４５°以上となる配置パターンで配置されている。因みに図示例では、交差角αが４７°前後となるように配置されている。交差角αは、水平方向分力と鉛直方向分力のバランスから、大きくとも６０°以下とするのが望ましい。
【００３８】
前身頃Ｆと後身頃Ｂとの脇部接合縁２１，２２において、背側湾曲弾性部材群２６、２６…の内、最もウエスト開口部寄りに位置する弾性部材２６ｉは、ウエスト部弾性部材２４，２４…の最下側弾性部材２４Ｏからの距離ＳＢが２０ｍｍ以内となるように配置される。装着に際して着用者がウエスト部の脇を掴んで上方に引き上げた際、湾曲弾性部材２６、２６…の弾性力によって紙おむつの後身頃Ｂ側を上方に引上げ易くなり、穿き易さが向上するようになる。
【００３９】
また、背側湾曲弾性部材群２６，２６…は、股下部の迂回部において、弧状曲線状に方向転換されていることが望ましい。弾性部材では接線方向に伸縮力が作用するところ、股下部において曲線状に反転させることにより、吸収体１３の幅方向に作用する力を極小化でき、該股下部での吸収体１３の縮こまりを防止することが可能となる。
【００４０】
特に図示形態の紙おむつ１では、後身頃Ｂにおいて、臀部の膨らみ形状に対応して外装シート２０をフィットさせるために、臀部の膨らみに対し極力沿う方向に伸縮力を作用させるべく、相対的に緩い傾斜角度で弾性部材群２６，２６…を配置するようにしたものであり、例えば交差角α＝４７°で伸縮部材２６、２６…が配置されているとすると、与えた伸縮力の７３％を水平方向分力として作用させることができるようになり、臀部を包み込むように外装シート２０を身体に密着させることができるようになる。その結果、吸収性本体１０を中央側に縮こまらせることがなくなるとともに、確実に身体に密着させることにより漏れ防止効果が高まるようになる。
【００４１】
さらに、前身頃Ｆと後身頃Ｂとの脇部接合縁２１，２２における背側湾曲弾性部材群２６，２６…の配置間隔、すなわち脇部側縁２１，２２の弾性部材配置区間ＢＬにおける配置間隔は、股下部の弾性部材配置区間ＭＢにおける背側湾曲弾性部材群２６，２６…の配置間隔とほぼ同じとされ、かつ背側湾曲弾性部材群２６，２６…の内、最も股下側に位置する弾性部材２６Ｏはおむつの股下部折り畳みラインＣＬからの距離ＢＨが±５０ｍｍ以内、好ましくは３５ｍｍ以内となる曲線形状を描くように配置されている。背側湾曲弾性部材群２６，２６…の配置間隔を脇部接合縁２１，２２と股下部とで均等配置にすることにより、弾性力が集中せずに均等バランスで外装シート２０全体を身体に密着させるようになるとともに、背側湾曲弾性部材群２６，２６…が描くラインが股下部近傍領域を迂回する大波の曲線形状で配置することにより、外装シート２０を身体に対してきっちりと密着保持し得るようになる。
【００４２】
後身頃Ｂ側に配置された背側湾曲弾性部材群２６，２６…は、股下部において、おむつの股下部折り畳みラインＣＬを基準に前身頃Ｆ側に偏倚していることが望ましい。股下部において、背側湾曲弾性部材群２６，２６…をおむつの股下部折り畳みラインＣＬを基準に前身頃Ｆ側に偏倚させることにより、臀部側で生じるおむつのずり落ちを無くすとともに、外装シート２０の弛みを無くして身体にフィットさせることができる。
【００４３】
他方、外装シート２０の前身頃において、腰回り弾性部材群２５，２５…とは別に配設された腹側湾曲弾性部材群２８，２８…も、一方側の脇部接合縁２１から股下側に延び、股下側を迂回して他方側の脇部接合縁２１に到達するとともに、交差することなく間隔をおいて配置された複数本の、図示例では９本の糸状弾性部材であり、これら腹側湾曲弾性部材群２８，２８…は、互いに交差することなく、間隔をおいて配置されている。この腹側湾曲弾性部材群２８、２８…も、従来の脚回り弾性部材とは配置態様が異なるものである。すなわち、２，３本程度の弾性伸縮部材を間隔を密にして実質的に一束として配置されるのではなく、所定の伸縮ゾーンを形成するように所定の間隔を空けて、５本以上、好ましくは７本以上配置される。
【００４４】
この腹側弾性部材群２８，２８…の始終端も、前身頃Ｆと後身頃Ｂとの脇部接合縁２１，２１のほぼ上部から下部の範囲に亘り、所定の間隔で接続され、吸収性本体１０の側縁との交差部において、腹側湾曲弾性部材群２８，２８…と吸収性本体１０側縁との鋭角側交差角θが３０°以下、好ましくは２８°以下となる配置パターンで配置されている。因みに、図示例では交差角θが２６°前後となるように配置されている。交差角θは、水平方向分力と鉛直方向分力のバランスから、少なくとも２０°以上とするのが望ましい。
【００４５】
この腹側湾曲弾性部材群２８，２８…についても、吸収体１３の幅方向に作用する力を極小化し、該股下部での吸収体１３の縮こまりを防止するために、股下部の迂回部において、ほぼ弧状曲線状に方向転換されていることが望ましい。
【００４６】
本実施形態の紙おむつ１においては、身体の前側部分には身体の後側臀部のような引掛かりとなる膨らみがないため、紙おむつのずり落ちは主として前身頃側Ｆで顕著に発生する傾向にあるとの知見に鑑み、相対的にきつい傾斜角度で弾性部材群２８，２８…を配置するようにしたものであり、図示例のように、交差角θ＝２６°で伸縮部材２８、２８…が配置されているとすると、与えた伸縮力の９０％を上方向分力として作用させることができ、紙おむつのずり落ちを効果的に防止できるようになる。
【００４７】
前身頃Ｆと後身頃Ｂとの脇部接合縁２１，２２において、腹側湾曲弾性部材群２８，２８…の内、最もウエスト開口部寄りに位置する弾性部材２８ｉは、ウエスト部弾性部材の最下側弾性部材２４Ｏからの距離ＳＦが２０ｍｍ以内となるように配置される。装着に際して着用者がウエスト部の脇をもって上方に引き上げた際、腹側湾曲弾性部材２８、２８…の弾性力によって紙おむつの前身頃Ｆ側を上方に引上げ易くなり、穿き易さが向上するようになる。
【００４８】
さらに、前身頃Ｆと後身頃Ｂとの脇部接合縁２１，２２における腹側湾曲弾性部材群２８，２８…の配置間隔、すなわち脇部側縁２１，２２の弾性部材配置区間ＦＬにおける配置間隔は、股下部の弾性部材配置区間ＭＦにおける腹側湾曲弾性部材群２８，２８…の配置間隔とほぼ同じとされ、かつ腹側湾曲弾性部材群２８，２８…の内、最も股下側に位置する弾性部材２８Ｏはおむつの股下部折り畳みラインＣＬからの距離ＦＨが±５０ｍｍ以内、好ましくは３５ｍｍ以内となる曲線形状を描くように配置されている。腹側湾曲弾性部材群２８，２８…の配置間隔を脇部接合縁２１，２２と股下部とで均等配置にすることにより、弾性力が集中せずに均等バランスで外装シート２０を身体に密着させるようになるとともに、腹側湾曲弾性部材群２８，２８…が描くラインが股下部近傍領域を迂回する大波の曲線形状で配置することにより、外装シート２０を身体に対してきっちりと密着保持し得るようになる。
【００４９】
ところで、腹側湾曲弾性部材群２８，２８…の一部と、背側湾曲弾性部材群２６，２６…の一部とは、股下部において交差させることもできるが、腹側湾曲弾性部材群２８，２８…の内の最股下側弾性部材２８Ｏと、後身頃側Ｂに配置された背側湾曲弾性部材群２６，２６…の内の最股下側弾性部材２６Ｏとが、股下部において互いに交差することなく近接している方が好ましい。近接幅（ＦＨ−ＢＨ）は、１０〜２０ｍｍとするのが望ましい。後者の場合、股下部において、湾曲弾性部材群２８…、２６…によって吸収性本体１０を均等の圧力で身体側に押付け密着させるため、身体との隙間が封鎖され、高い漏れ防止効果が発揮されるようになる。
【００５０】
また、上記形態例では、前身頃Ｆ及び後身頃Ｂに配置された腰回り弾性部材群２５，２５…及び湾曲弾性部材２６…、２８…は、吸収性本体１０上においても連続させて配置するようにしたが、図４に示されるように、吸収性本体１０を横切る弾性部材を切断し、不連続としてもよい。弾性部材を吸収性本体上で不連続とすることにより、吸収体１３の縮こまりをより防止することができる。なお、吸収性本体１０上で弾性部材が切断されているか否かに拘わらず、腰回り弾性部材群２５，２５…及び湾曲弾性部材２６…、２８…が切断前の状態で上記配置とされている限り、上記の作用効果が奏せられる。
【００５１】
（本発明のポイント）
以上のような構成において、吸収体１３に本発明が適用されている。すなわち、この吸収体１３では、図７に示されるように、背側において尾骨部の腰部側の部位から尾骨部の幅方向両側に向かう方向Ｄ１，Ｄ２と、尾骨部の股間部側の部位から股間部側に近づきつつ幅方向両側に向かう方向Ｄ３，Ｄ４とによって囲まれる四辺形部分１３Ｔが切欠部として形成されている。このような四辺形部分１３Ｔは、共通の底辺を有し且つ高さが異なる２つの三角形における底辺を除いた二辺からなる形状を有する。
【００５２】
尾骨部の位置（図７に×印で示した）は、製品対象が大人であるか子供であるか、またその中でもサイズはいくつであるのによって変化するため、これに応じて適切な位置を決定するのが好ましい。尾骨部の位置の具体例としては、大人用の場合、製品の幅方向中心線ＷＣ上における股間（前後対称の製品では製品長手方向中央、非対称の製品では図１に示す製品装着状態における最下端位置）からの距離Ｌ１は、５〜２５ｃｍ、特に８〜１８ｃｍの範囲内にあるのが好ましく、子供用の場合は、５〜１５ｃｍ、特に７〜１３ｃｍの範囲内にあるのが好ましい。
【００５３】
方向Ｄ１，Ｄ２は、幅方向中心線ＷＣに対して２０〜６０度、特に３０〜５０度の角度をなしているのが好ましく、方向Ｄ３，Ｄ４は、幅方向中心線ＷＣに対して６０〜９０度、特に７０〜８０度の角度をなしているのが好ましい。
【００５４】
四辺形部分１３Ｔにおいて、高い方の三角形の頂点から低い方の三角形の頂点までの頂点間距離Ｙは、大人用の場合で０．５〜５ｃｍ、特に１〜３ｃｍであるのが好ましく、子供用の場合も同じで０．５〜５ｃｍ、特に１〜３ｃｍであるのが好ましい。高い方の三角形における頂角をなす２辺は等しく、つまり二等辺三角形であるのが好ましく、各辺の長さは、大人用の場合で２〜１０ｃｍ、特に４〜６ｃｍであるのが好ましく、子供用の場合で２〜８ｃｍ、特に３〜５ｃｍであるのが好ましい。両三角形の共通の底辺の長さ、つまり四辺形部分の幅Ｘは、大人用の場合で３〜２０ｃｍ、特に４〜１０ｃｍであるのが好ましく、子供用の場合で３〜１６ｃｍ、特に４〜８ｃｍであるのが好ましい。
【００５５】
このような部分１３Ｔが切欠部として形成されていると、装着形状において、図８〜図１０に示すように、低い方の三角形における頂角の二等分線に沿う部分Ｒ１が内面側から見て隆起し、かつ高い方の三角形における頂点から腰側の部分Ｒ２が内面側から見て隆起するとともに、高さが低い方の三角形の二辺をなす端部が、高さが高い方向の三角形の二辺をなす端部にそれぞれ近づいて四辺形１３Ｔが閉じる方向に変形する。
【００５６】
特に、前述の背側湾曲弾性部材群２６，２６…の一部が四辺形部分１３Ｔを幅方向に通るように構成されていると、その弾性収縮力が作用することによって、このような形状変化が促進される。
【００５７】
そしてその結果、臀裂の略全体にわたり、すなわち股間部から尾骨部を越えて腰部側までの範囲にわたり隆起部分Ｒ１，Ｒ２が形成されるとともに、隆起部分Ｒ１，Ｒ２の境において尾骨部分の突出に沿って隆起が屈曲するようになる。したがって、本発明によれば、尾骨部分における吸収体１３のフィット性が顕著に向上し、もって装着感ならびに漏れ防止性能の向上がもたらされる。
【００５８】
また、図示形態では、吸収体１３における、背側腰部の縁から四辺形部分１３Ｔの近傍まで幅方向中央を通り連続するスリット状切欠部１３Ｃが形成されている。その結果、図８〜図１０に示すように、スリット状切欠部１３Ｃの縁部相互が近接するように変形し、腰部から尾骨部にわたる幅方向中央部分によりはっきりとした隆起Ｒ２が形成されるようになり、臀裂の腰側部分におけるフィット性が更に向上する。また、このような形状変化は、腰回り弾性部材群２５，２５…の弾性収縮力が作用することによって、促進される。
【００５９】
このようなスリット状切欠部１３Ｃは、一定幅であっても良いが、四辺形部分１３Ｔの近傍側から、腰部の縁に近づくにつれて幅が広くなる形状であっても良い。この場合における拡幅角度α（すなわち始点から終点までの各方向がなす角度）は、腰部から尾骨部にわたる隆起Ｒ２の度合いを定めるものであり、０〜４０度、特に０〜２０度であるのが好ましい。
【００６０】
吸収体１３における腰部の縁の形状は適宜定めることができ、例えば腰周り方向に沿って直線状をなしていても良いが、図示形態のように、幅方向中央を境にしてその両側に、股間部側から遠ざかる方向に膨らむ弧状部分１３Ｅをそれぞれ有しているのは好ましい形態である。このような形態では、腰部の縁が身体の曲線に沿い易くなり、縁部と身体との間に隙間が生じ難くなる。
【００６１】
さらに好ましい形態では、図示形態のように、吸収体１３に、各臀部の頂部から腰部側に近づきつつ幅方向中央から遠ざかる方向に沿って周縁まで連続するスリット状切欠部１３Ｓがそれぞれ形成される。これにより、図８〜図１０に示すように、スリット状切欠部１３Ｓの縁部相互が近接するように変形し、臀部を包むように膨らみＲ３が形成されるようになる。その結果、臀部に対するフィット性が顕著に向上する。特に、このような形状変化は、背側湾曲弾性部材群２６，２６…ならびに腰回り弾性部材群２５，２５…を組み合わせ備えていると、その弾性収縮力が臀部を包むように作用するため、より一層促進されることになる。この場合、背側湾曲弾性部材群２６，２６…ならびに腰回り弾性部材群２５，２５…とスリット状切欠部１３Ｓとが交差するように配置されていると、特に好ましい。
【００６２】
臀部の頂部の位置は、製品対象が大人であるか子供であるか、またその中でもサイズはいくつであるのによって変化するため、これに応じて適切な位置を決定するのが好ましいが、一般に、長手方向においては尾骨部よりも腰部側に位置し、幅方向においては、幅方向左半分及び右半分のそれぞれにおける幅方向中央部近傍に位置する。臀部の頂部の位置の具体例としては、股間（前後対称の製品では製品長手方向中央）からの長手方向距離Ｌ２が、大人用の場合で６〜２０ｃｍ、特に１０〜１５ｃｍの範囲内にあるのが好ましく、子供用の場合で３〜１８ｃｍ、特に４〜１２ｃｍの範囲内にあるのが好ましく、また幅方向中心線ＷＣからの距離Ｌ３が、大人用の場合で２〜８ｃｍ、特に３〜６ｃｍの範囲内にあるのが好ましく、子供用の場合で２〜８ｃｍ、特に３〜５ｃｍの範囲内にあるのが好ましい。
【００６３】
スリット状切欠部１３Ｓの延在方向Ｄ５は、幅方向中心線ＷＣに対して０〜４０度、特に５〜３０度の角度をなしているのが好ましい。またスリット状切欠部１３Ｓは、一定幅であっても良いが、臀部の頂部を始点とし、周縁に近づくにつれて幅が広くなる形状が好ましい。この場合における拡幅角度β（すなわち始点から終点までの各方向がなす角度）は、臀部の膨らみの度合いを定めるものであり、０〜４０度、特に０〜２０度であるのが好ましい。
【００６４】
また、図示形態では、下腹部の膨らみに対するフィット性を高めるために、腹側において下腹部の下端から腰部の縁まで幅方向中央を通り連続するスリット状切欠部１３Ｆが形成されている。その結果、図８〜図１０に示すように、スリット状切欠部１３Ｆの縁部相互が近接するように変形し、下腹部に立体的な膨らみが形成されるようになりフィット性が更に向上する。また、このような形状変化は、腰回り弾性部材群２５，２５…の弾性収縮力が作用することによって促進される。
【００６５】
下腹部の下端位置は、製品対象が大人であるか子供であるか、またその中でもサイズはいくつであるのによって変化するため、これに応じて適切な位置を決定するのが好ましい。下腹部の下端位置の具体例としては、製品の幅方向中心線ＷＣ上における股間からの距離Ｌ４は、大人用の場合は８〜２０ｃｍ、特に１０〜１８ｃｍの範囲内にあるのが好ましく、子供用の場合は、４〜１８ｃｍ、特に６〜１６ｃｍの範囲内にあるのが好ましい。
【００６６】
このスリット状切欠部１３Ｆは一定幅であっても良いが、下腹部の下端側から腰部の縁に近づくにつれて幅が広くなる形状が好ましい。この場合における拡幅角度γ（すなわち始点から終点までの各方向がなす角度）は、下腹部の膨らみの度合いを定めるものであり、１０〜２５度、特に１２〜１８度であるのが好ましい。
【００６７】
一方、これらのスリット状切欠部１３Ｃ，１３Ｓ，１３Ｆ等による変形がある場合等においては、腰部の縁が不連続な屈曲形状を呈することになり易く、このような形状は装着者に違和感をもたらす。よって、吸収体１３における腰部の縁が、図８〜図１０に示すように身体に対する装着状態で、実質的に連続する弧状をなすように、各部の形状、特にスリット状切欠部１３Ｃ，１３Ｓ，１３Ｆを設計するのが好ましい。
【００６８】
（その他）
（イ）図１１に示すように、スリット状切欠部１３Ｃ，１３Ｓ，１３Ｆを省略することができる。また、図１１に示す吸収体１３では、腰部の縁が、幅方向中央を境にしてその両側に、股間部側から遠ざかる方向に膨らむ弧状部分１３Ｅをそれぞれ有しているが、これを省略することもできる。また、吸収体１３は、四辺形部分１３Ｔを有する限り、図１２に示すように一般的な砂時計形状としたり、二点鎖線で示すように矩形形状としたりすることもできる。
【００６９】
（ロ）図１１の四辺形部分１３Ｔからも判るように、四辺形部分１３Ｔやスリット状切欠部１３Ｃ，１３Ｓ，１３Ｆの角は鋭角でなく、弧状または曲線状にトリミングすることもできる。
【００７０】
（ハ）吸収体１３は、その形成時（例えばパルプの積繊時）に本発明の形状とする他、予め矩形等の単純な形状で製造した後に、本発明の形状にカットすることもできる。
【００７１】
（ニ）四辺形部分の切欠部１３Ｔやスリット状切欠部１３Ｃ，１３Ｓ，１３Ｆに代えて、図１２、１３に示すようにエンボス加工等により形成される圧搾凹部１１３Ｔ，１１３Ｃ，１１３Ｓ，１１３Ｆを形成しても良い。この場合、圧搾凹部１１３Ｔ，１１３Ｃ，１１３Ｓ，１１３Ｆの周縁が折れ曲がることにより、切欠部１３Ｔ，１３Ｃ，１１Ｓ，１３Ｆと同様の形状変形が達成される。本発明では、四辺形部分等の全てを切欠凹部または圧搾凹部のいずれかに統一しても（図示形態）、また一部を切欠部とし、他を圧搾凹部しても良い。
【００７２】
（ホ）図８〜図１０に示す形態では、四辺形部分の切欠部１３Ｔやスリット状切欠部１３Ｃ，１３Ｓ，１３Ｆ（圧搾凹部も同様になる）の縁が相互に近接して閉じられているが、完全に閉じる必要はなく、隙間があっても良い。
【００７３】
（ヘ）本発明では、フィット性を高める各種の弾性部材と組み合わせて用いるのが好ましいが、これに限られるものではない。したがって、例えば上記実施形態における腰回り弾性部材群２５，２５…、背側湾曲弾性部材群２６，２６…、腹側湾曲弾性部材群２８，２８…の少なくとも一つを省略したり、他の配置形態を採用したりすることも可能である。
【産業上の利用可能性】
【００７４】
本発明は、パンツ型使い捨て紙おむつ、テープ式使い捨て紙おむつ、昼用や夜用等の生理用ナプキンなど、各種の吸収性物品に適用できるものである。
【図面の簡単な説明】
【００７５】
【図１】パンツ型使い捨て紙おむつ１の製品状態外観図である。
【図２】展開状態での組み立て図である。
【図３】外装シート２０の展開図である。
【図４】外装シート２０の変形例を示す展開図である。
【図５】吸収性本体１０の平面図である。
【図６】（Ａ）は吸収性本体１０の展開状態での半横断面図、（Ｂ）はその製品状態を示す図である。
【図７】吸収体の展開状態平面図である。
【図８】装着状態の吸収体を斜め前から見た斜視図である。
【図９】装着状態の吸収体を斜め後から見た斜視図である。
【図１０】装着状態の吸収体の平面図である。
【図１１】他の吸収体の展開状態平面図である。
【図１２】他の吸収体の展開状態平面図である。
【図１３】他の吸収体の展開状態平面図である。
【図１４】他の吸収体の展開状態平面図である。
【符号の説明】
【００７６】
１…紙おむつ、１０…吸収性本体、１１…透液性表面シート、１２…防漏シート、１３…吸収体、１３Ｔ…四辺形部分、１３Ｃ，１３Ｓ，１３Ｆ…スリット状切欠部、１３Ｅ…弧状部分、１４…クレープ紙、１５…ギャザー不織布、１６…糸状弾性伸縮部材、２０…外装シート、２１，２２…脇部接合縁、２４…ウエスト部弾性部材、２５…腰回り弾性部材、２６…背側湾曲弾性部材、２８…腹側湾曲弾性部材、２９…脚回りカットライン、Ｆ…前身頃、Ｂ…後身頃、１１３Ｔ，１１３Ｃ，１１３Ｓ，１１３Ｆ…圧搾凹部。
【図１】
2006271898.tif 000003
【図２】
2006271898.tif 000004
【図３】
2006271898.tif 000005
【図４】
2006271898.tif 000006
【図５】
2006271898.tif 000007
【図６】
2006271898.tif 000008
【図７】
2006271898.tif 000009
【図８】
2006271898.tif 000010
【図９】
2006271898.tif 000011
【図１０】
2006271898.tif 000012
【図１１】
2006271898.tif 000013
【図１２】
2006271898.tif 000014
【図１３】
2006271898.tif 000015
【図１４】
2006271898.tif 000016